(57)【特許請求の範囲】
【請求項１】
下面が開口する樋状を成したライティングケースを連結金具にて長手方向に沿って接続するジョイント金具であって、連結金具は、ライティングケースの側板に重合する重合側板と、該重合側板から斜め内側上方に延長される一対の斜め側板と、ライティングケースの天板に重合する重合天板とからなり、隣接するライティングケースの連結端部の内側に重合する重合板を設けると共に、該重合板の内側から外側に突出してライティングケースの内側を圧着する押圧ネジを設け、該押圧ネジを各斜め側板から斜め上方に突出させてライティングケースに固定するように構成したことを特徴とする直管形ランプケース用ジョイント金具。
【請求項２】
前記連結金具において、前記押圧ネジの頭部周囲に円盤状を成した合成樹脂製の電線ガードを装着し、押圧ネジと電線コードとの接触を防止するように設けられた請求項１記載の直管形ランプケース用ジョイント金具。
【請求項３】
前記ライティングケースは、開口部の内側に形成された開口フランジと、該開口フランジから垂直に立ち上がる一対の側板と、各側板の上端部から天板に連続する一対の斜め側板と、水平な天板とで構成され、前記重合板は前記ライティングケースの開口フランジより内側に重合された状態で、前記押圧ネジが斜め側板の内側を押圧するように構成された請求項１記載の直管形ランプケース用ジョイント金具。
【請求項４】
前記ライティングケースは、直管形ＬＥＤランプに通電せしめるライティングユニットを開口部に装着するように構成され、前記連結金具は、該ライティングケースの長手方向を水平にして垂直に切断された端部に重合するように設けられた請求項１又は２記載の直管形ランプケース用ジョイント金具。
【発明の詳細な説明】
【技術分野】
【０００１】
本発明は、直管形ＬＥＤランプや直管形蛍光灯を連設する際に使用する直管形ランプケース用ジョイント金具に係り、特に、現場で加工して連結する際に連結作業が容易な直管形ランプケース用ジョイント金具に関するものである。
【背景技術】
【０００２】
従来、駅舎、工場、地下駐車場等に直管形の蛍光灯を取り付ける場合、レースウェイや金属ダクトに蛍光灯器具を装着し、この器具に蛍光灯を取り付けている。この蛍光灯器具を装着するには、レースウェイ等に電線を通線し、蛍光灯器具を取り付けた後に、引き込んである電線を端子台に接続し、反射板を装着した後に、蛍光管を取り付けるといった手間のかかる作業が行われていた。
【０００３】
そこで、当出願人は、特許文献１に記載のごとく、複数の蛍光灯器具を連設する際に合理的な装着を可能にした連用蛍光灯システムを先に提案している。特許文献１では、ソケットに接続端子と送り端子を着脱自在に装着することで、蛍光灯器具の装着を容易にしたものである。
【０００４】
一方、従来の連用照明器具の連結手段として、例えば、特許文献２に記載の連結型蛍光灯照明器具が記載されている。この連結形の照明器具は、蛍光ランプソケットを備えた器具本体の下面に装着する反射板を連結する構成で、連続配置する反射板相互を連結する手段が記載されている。
【０００５】
また、特許文献３には、連結具の上面に設けた複数個の突起を、照明器具本体の端部両端に設けた孔に嵌合させて連結する照明器具の連結装置が記載されている。この連結装置では、特に、照明器具本体の下に連結具を装着して照明器具本体の長手端部を連結するものである。
【先行技術文献】
【特許文献】
【０００６】
【特許文献１】特公平７−１０７８０１号公報
【特許文献２】実開平１−８６１１７号公報
【特許文献３】実開昭５７−１９２００８号公報
【発明の概要】
【発明が解決しようとする課題】
【０００７】
特許文献１の連用蛍光灯システムのように、ライティングケースに配線用ダクトを利用した連用蛍光灯システムは、１本の配線用ダクトに複数のライティングユニットを装着するので、支持強度が優れたシステムを構成することができる。ところが、長尺な配線用ダクトの使用ができない場合には、配線用ダクトに替わる複数のライティングケースを連結する必要がある。この場合、複数のライティングケースを連結する際の強度を、できるだけ配線用ダクトの強度に近づけるような工夫が課題となる。
【０００８】
例えば、特許文献２のように、従来の反射板相互を連結する手段では、ライティングケースを連結する際の十分な強度を得られるものではなかった。すなわち、特許文献２の連結形の照明器具では、ライティングケースの下面に反射板を装着し、この反射板相互を連結する構成を採用しているので、連結された反射板には、ライティングユニットの全ての荷重が加わることになる。そのため、反射板に荷重が加わると、連結端部が簡単に破壊されるおそれがある。
【０００９】
また、特許文献３に記載の連結装置でも、連結具の上面に設けた複数個の突起を、照明器具本体の端部両端に設けた孔に嵌合させて連結するものであるから、吊りボルトに懸吊されている状態で地震等の強い揺れが生じると、この連結部分が簡単に外れてしまうおそれがある。
【００１０】
一方、現在では、蛍光灯ランプの形状を成した「直管蛍光ランプ形ＬＥＤランプ（以下、直管形ＬＥＤランプと称する）」なども使用されている。ところが、この直管形ＬＥＤランプは、蛍光管と異なり、安定器や点灯手段の変わりに専用の制御装置（ＬＥＤドライバ）が必要になることから、この直管形ＬＥＤランプを連続装着するライティングユニットには、より強度の高い連結手段が求められている。そのため、連結強度を高めるために、特殊な形状のライティングケースや、各ライティングケースを連結するための独特な手段などが必要になっている。
【００１１】
しかしながら、工事の都合で特殊な形状のライティングケースを切断して連結するような場合には、ライティングケースに予め設けられている連結手段は利用できなくなるので、この切断端部を高い連結強度で連結できる新たなジョイント金具が求められていた。
【００１２】
そこで、本発明は、配線用ダクトやレースウェイを利用できない場合でも、強固な連結強度が得られ、特に、直管形ＬＥＤランプを装着するような特殊な形状のライティングユニットも強力に連結することができ、しかも連結作業が容易な直管形ランプＰケース用ジョイント金具の提供を目的とするものである。
【課題を解決するための手段】
【００１３】
上述の目的を達成すべく本発明における第１の手段は、下面が開口する樋状を成したライティングケース１０を連結金具３０にて長手方向に沿って接続するジョイント金具であって、連結金具３０は、ライティングケース１０の側板１２に重合する重合側板３１Ａと、該重合側板３１Ａから斜め内側上方に延長される一対の斜め側板３１Ｂと、ライティングケース１０の天板１４に重合する重合天板３１Ｃとからなり、隣接するライティングケース１０の連結端部の内側に重合する重合板３１を設けると共に、該重合板３１の内側から外側に突出してライティングケース１０の内側を圧着する押圧ネジ３２を設け、該押圧ネジ３２を各斜め側板３１Ｂから斜め上方に突出させてライティングケース１０に固定するように構成したことにある。
【００１４】
第２の手段は、前記連結金具３０において、前記押圧ネジ３２の頭部周囲に円盤状を成した合成樹脂製の電線ガード３３を装着し、押圧ネジ３２と電線コードとの接触を防止するように設けられている。
【００１５】
第３の手段の前記ライティングケース１０は、開口部の内側に形成された開口フランジ１１と、該開口フランジ１１から垂直に立ち上がる一対の側板１２と、各側板１２の上端部から天板１４に連続する一対の斜め側板１３と、水平な天板１４とで構成され、前記重合板３１は前記ライティングケース１０の開口フランジ１１より内側に重合された状態で、前記押圧ネジ３２が斜め側板１３の内側を押圧するように構成されたものである。
【００１６】
第４の手段において、前記ライティングケース１０は、直管形ＬＥＤランプＰに通電せしめるライティングユニット２０を開口部に装着するように構成され、前記連結金具３０は、該ライティングケース１０の長手方向を水平にして垂直に切断された端部に重合するように設けられたことにある。
【発明の効果】
【００１７】
本発明の請求項１のごとく、押圧ネジ３２をそれぞれの斜め側板３１Ｂから斜め上方に突出させてライティングケース１０に固定するように構成したことにより、連結金具３０をライティングケース１０に極めて強力に固定することができる。しかも、ライティングケース１０の開口部から連結金具３０の斜め側板３１Ｂに配した押圧ネジ３２を操作するので、固定作業も容易で連結作業を効率良く行える。
【００１８】
仮に重合側板３１Ａから押圧ネジ３２を突出するように構成すると、ライティングケース１０の側板１２を押圧して固定することになるが、この場合、連結金具３０の内部で押圧ネジ３２を操作することが極めて困難になる。ところが、押圧ネジ３２を斜め側板３１Ｂから両方向に突出させるように構成したことで、押圧ネジ３２の操作が容易になる。更に、樋状を成したライティングケース１０の断面形状がどのようなものでも、斜め側板３１Ｂから斜め上方に突出する押圧ネジ３２によって固定することができるものである。
【００１９】
請求項２のように、押圧ネジ３２の頭部周囲に円盤状を成した合成樹脂製の電線ガード３３を装着し、押圧ネジ３２と電線コードとの接触を防止するように設けたことで、ライティングケース１０内に配線する各種コードに悪影響を与えずにライティングケース１０相互を連結することができる。
【００２０】
請求項３のように、ライティングケース１０は、開口部の内側に形成された開口フランジ１１と、該開口フランジ１１から垂直に立ち上がる一対の側板１２と、各側板１２の上端部から天板１４に連続する一対の斜め側板１３と、水平な天板１４とで構成され、前記重合板３１は前記ライティングケース１０の開口フランジ１１より内側に重合された状態で、押圧ネジ３２が斜め側板１３の内側を押圧するように構成したことで、強度を高めるために特殊な形状を成したライティングケース１０でも、極めて高い連結強度を得ることができる。この結果、配線用ダクトやレースウェイを利用できない場合でも、これらに匹敵する強固な連結強度が得られる。しかも、吊りボルトに懸吊されている状態で地震等の強い揺れが生じた場合でも、連結部分の緩みを防止することが可能である。
【００２１】
請求項４のごとく、ライティングケース１０は、直管形ＬＥＤランプＰに通電せしめるライティングユニット２０を開口部に装着するように構成され、連結金具３０は、該ライティングケース１０の長手方向を水平にして垂直に切断された端部に重合するように設けたことで、特に、直管形ＬＥＤランプを装着するような特殊な形状のライティングユニットでも連結することが可能になった。
【図面の簡単な説明】
【００２２】
【図１】本発明の使用状態の一実施例を示す分解斜視図である。
【図２】本発明の使用状態を示す斜視図である。
【図３】本発明の使用状態を示す断面図である。
【図４】本発明の斜め側板に押圧ネジを装着する状態を示す斜視図である。
【図５】本発明の使用例を示す平面図である。
【図６】本発明の使用状態の一実施例を示す側面図である。
【発明を実施するための形態】
【００２３】
本発明によると、配線用ダクトやレースウェイを利用できない場合でも、強固な連結強度が得られ、特に、直管形ＬＥＤランプを装着するような特殊な形状のライティングユニットも連結することができ、しかも連結作業が容易になるなどといった当初の目的を達成した。
【実施例】
【００２４】
以下、本発明の実施例を説明する。本発明ジョイント金具は、直管形ランプＰに通電せしめるライティングユニット２０を連続設置する際に、ライティングケース１０を長手方向に接続する際に使用するものである（図６参照）。このライティングケース１０は、樋状を成した形状で、天井等に吊り金具４０で吊下げられている。
【００２５】
本発明ジョイント金具は、ライティングケース１０の切断端部を連結するもので、重合板３１、押圧ネジ３２、電線ガード３３にて構成されている（図１参照）。
【００２６】
重合板３１は、隣接するライティングケース１０の連結端部の内側に重合する部材であり、重合側板３１Ａ、斜め側板３１Ｂ、重合天板３１Ｃにて形成されている（図３参照）。重合側板３１Ａと重合天板３１Ｃは、それぞれライティングケース１０の側板１２と天板１４に重合するものである。
【００２７】
一方、斜め側板３１Ｂは、重合側板３１Ａから斜め内側上方に延長されており、各斜め側板３１Ｂの内側から押圧ネジ３２を外側に突出してライティングケース１０の内側を圧着するように設けている（図３参照）。図示例の斜め側板３１Ｂは、ライティングケース１０の斜め側板１３に重合した状態を示しているが、この斜め側板１３のない断面略矩形状のライティングケース１０でも重合板３１を重合することができる。この場合、斜め側板３１Ｂはライティングケース１０に接することなく、押圧ネジ３２はライティングケース１０の角部付近を押圧する。このような状態でも斜めに突出する押圧ネジ３２により、連結金具３０を強固に固定することができるものである。
【００２８】
押圧ネジ３２は、連結金具３０からライティングケース１０を押圧する長さのボルトを使用する。そして、斜め側板３１Ｂに開穿されたネジ孔３１Ｂaに押圧ネジ３２をネジ止めして押圧ネジ３２の先端部で斜め側板１３を押圧するものである（図３参照）。図示例では、左右一対の押圧ネジ３２を重合板３１の長手方向に沿って四対形成しているが、押圧ネジ３２の数や設置位置等は任意に選択できるものである。
【００２９】
この押圧ネジ３２の頭部には、予め電線ガード３３が装着されている（図４参照）。この電線ガード３３は、円盤状を成した合成樹脂製の部材で、押圧ネジ３２の頭部周囲に装着することで、押圧ネジ３２と電線コードとの接触を防止するように設けたものである。図示の電線ガード３３は、隣接する電線ガード３３が一対連設されたものである。この電線ガード３３によると、予め電線ガード３３に押圧ネジ３２を装着した状態でネジ孔３１Ｂaにネジ止め可能になり、作業効率を高めることができる。
【００３０】
ライティングケース１０は、開口部の内側に形成された開口フランジ１１と、該開口フランジ１１から垂直に立ち上がる一対の側板１２と、各側板１２の上端部から天板１４に連続する一対の斜め側板１３と、水平な天板１４とで構成されたものである（図３参照）。そして、連結金具３０の重合板３１は、ライティングケース１０の開口フランジ１１より内側に重合された状態で、押圧ネジ３２が斜め側板１３の内側を押圧するように構成している。このライティングケース１０は樋状を成すものであれば、断面形状はどのような形状でも良い。
【００３１】
更に、図示のライティングケース１０では、側板１２の長手両端部に連結片１５を形成している（図５参照）。この連結片１５は、隣接するライティングケース１０の開口フランジ１１上で側板１２の内側に相互にネジ止めされる部材である。また、天板１４には、長手両端部に突出して隣接するライティングケース１０の天板１４内側に重合する重合片１４Ａを設けている。この重合片１４Ａは舌片状を成し、天板１４の片側寄りに形成されて連結時に隣接する重合片１４Ａが平行に並ぶように構成されている。
【００３２】
したがって、隣接するライティングケース１０相互を連結する場合は、天板１４内側に重合する重合片１４Ａと、側板１２の内側に重合してネジ止めされる連結片１５とで連結するものである（図５参照）。このライティングケース１０は、直管形ＬＥＤランプに通電せしめるライティングユニット２０を開口部に装着するように構成されたものである（図６参照）。このように、予め特殊な連結手段を備えたライティングケース１０でも、長さ調整のために切断された場合は、これらの重合片１４Ａや連結片１５を用いた連結手段を使用することができなくなる。そこで、本発明の重合板３１は、このようなライティングケース１０を垂直に切断した端部相互を連結できるように設けたものである。
【産業上の利用可能性】
【００３３】
本発明連結金具は、直管形ランプＰを取り付ける場合を想定した説明になっているが、本発明の利用はこの例に限られるものではなく、他の用途の樋状の部材でも連結することが可能である。また、本発明の各構成は、図示例に限定されるものではなく、本発明の要旨を変更しない範囲での設計変更は自由である。
【符号の説明】
【００３４】
Ｐ  直管形ランプ
１０  ライティングケース
１１  開口フランジ
１２  側板
１３  斜め側板
１４  天板
１５  連結片
２０  ライティングユニット
３０  連結金具
３１  重合板
３１Ａ  重合側板
３１Ｂ  斜め側板
３１Ｂa  ネジ孔
３１Ｃ  重合天板
３２  押圧ネジ
３３  電線ガード
４０  吊り金具
【図１】
0005311264.tif 000002
【図２】
0005311264.tif 000003
【図３】
0005311264.tif 000004
【図４】
0005311264.tif 000005
【図５】
0005311264.tif 000006
【図６】
0005311264.tif 000007